(57)【要約】【課題】  開示する卓上型作業台は、ノート型パソコンを使用する場合、及び、デスクトップ型パソコンを使用する場合のどちらの場合であっても、使用者の猫背姿勢を改善させると共に、読書や筆記の作業を適切な姿勢で行わせることができる。【解決手段】  開示する卓上型作業台は、天板と、天板を下側から支持する天板支持体と、天板支持体の手前側端部と蝶番で接続される土台部と、を備え、天板が天板支持体上を前後方向に滑動可能であり、蝶番を軸とし天板の傾斜角度が調節可能である、机上に置き天板上で事務作業を行う卓上型作業台であって、天板の傾斜角度を固定する天板角度固定手段と、天板上の載置物が手前側に滑り落ちない様にする、該天板上の手前側端部に設置される天板上凸部と、天板支持体の下方に配置され、キーボードを引出し自在に収納するリストレスト付きキーボード収納手段と、を備えることを特徴とする。【選択図】図１
2012164053.tif 000002
【特許請求の範囲】
【請求項１】
天板と、前記天板を下側から支持する天板支持体と、前記天板支持体の手前側端部と蝶番で接続される土台部と、を備え、前記天板が前記天板支持体上を前後方向に滑動可能であり、前記蝶番を軸とし前記天板の傾斜角度が調節可能である、机上に置き前記天板上で事務作業を行う卓上型作業台であって、
前記天板の傾斜角度を固定する天板角度固定手段と、
前記天板上の載置物が手前側に滑り落ちない様にする、該天板上の手前側端部に設置される天板上凸部と、
前記天板支持体の下方に配置され、情報処理装置の入力手段であるキーボードを引出し自在に収納するリストレスト器具付きキーボード収納手段と、を備えることを特徴とする卓上型作業台。
【請求項２】
前記天板角度固定手段が、
前記天板支持体の左右両端部に設置され、該天板支持体の左右各側面に沿って回動可能である支持脚の端部を、前記土台部に設けられた土台凸部に係止させることによって、前記天板の傾斜角度を固定することを特徴とする請求項１に記載の卓上型作業台。
【請求項３】
前記天板角度固定手段が、前記天板の傾斜角度に関し、第１の傾斜角度、該第１の傾斜角度より大きい第２の傾斜角度、該第２の傾斜角度より大きい第３の傾斜角度のうち、何れかの傾斜角度で固定し、
前記天板の傾斜角度が前記第１の傾斜角度で固定される場合、前記天板上には、デスクトップ型パソコンを使用して行う前記事務作業のための資料が載置され、
前記天板の傾斜角度が前記第２の傾斜角度で固定される場合、前記天板上には、前記事務作業を行うためのノート型パソコンが載置され、
前記天板の傾斜角度が前記第３の傾斜角度で固定される場合、前記天板上には、読書又は執筆活動を行うための資料が載置されることを特徴とする請求項１又は２に記載の卓上型作業台。
【請求項４】
前記第１の傾斜角度が約１５°であり、前記第２の傾斜角度が約３０°であり、前記第３の傾斜角度が約４５°であることを特徴とする請求項３に記載の卓上型作業台。
【請求項５】
前記支持脚が、当該卓上型作業台の使用者が前記支持脚に回動動作を行わせる際に利用する取っ手を備えていることを特徴とする請求項１乃至４の何れか一に記載の卓上型作業台。
【請求項６】
前記天板が、該天板裏の奥側端部に、前記天板支持体からの滑り落ちを防止するための突起である天板下凸部を備えていることを特徴とする請求項１乃至５の何れか一に記載の卓上型作業台。
【請求項７】
前記天板が奥側の下方端部に、前記天板支持体が左右の上方端部に、前記天板が前記天板支持体から浮き上がることを防止するフック機構を備えていることを特徴とする請求項１乃至６の何れか一に記載の卓上型作業台。
【請求項８】
前記天板支持体が、該天板支持体の手前側端部に、前記天板が奥位置から滑動することを制止する滑り止め部材を備えていることを特徴とする請求項１乃至７の何れか一に記載の卓上型作業台。
【請求項９】
前記天板上凸部が、高さ調節可能であることを特徴とする請求項１乃至８の何れか一に記載の卓上型作業台。
【請求項１０】
前記天板上凸部が、左右方向に滑動可能であることを特徴とする請求項１乃至９の何れか一に記載の卓上型作業台。
【請求項１１】
前記天板上凸部が、前記天板上に載置した書籍の特定頁を開いた状態に保つブックホールド機能を備えていることを特徴とする請求項１乃至１０の何れか一に記載の卓上型作業台。
【請求項１２】
ＵＳＢハブ装置を備えることを特徴とする請求項１乃至１１の何れか一に記載の卓上型作業台。
【発明の詳細な説明】
【技術分野】
【０００１】
本発明は、事務机など卓上に設置し、その上で作業を行う作業台の技術に関する。
【背景技術】
【０００２】
パソコンが仕事に不可欠となった現代において、内勤者は、一日中パソコンと向き合うことになり、腰痛や肩こりに悩まされている人が増えている。この腰痛や肩こりは、作業中の猫背姿勢に原因があると考えられるが、その原因を解消する対策が取られていないのが現状である。例えば、オフィスや家庭であっても、ノート型パソコンの使用者は、その機器の構造上、物理的に猫背姿勢を強いられる。また、デスクトップ型パソコンの使用者であっても、使用書類をデスク上の手前側に置いて作業を行うことが多いため、キーボードはデスク上奥に置くことになり、結果として、猫背姿勢を強いられることになる。
【０００３】
一方で、オフィスワーカーの腰痛や肩こりの原因が猫背姿勢にあるとするならば、事務作業中、背筋を伸ばした後傾姿勢（ニュートラルポジション）を取ることによって、当該腰痛や肩こりの症状を抑えることができる。
他方、ノート型パソコンの使用感を向上させる技術に関しては、特許文献１や特許文献２等に記載される技術が提案されている。
【先行技術文献】
【特許文献】
【０００４】
【特許文献１】特開２０１０−９４６０号公報
【特許文献２】実用新案登録第３１２５６９５号公報
【発明の概要】
【発明が解決しようとする課題】
【０００５】
しかしながら、上記技術においては、ノート型パソコンを使用する場合、及び、デスクトップ型パソコンを使用する場合のどちらの場合であっても、使用者の猫背姿勢を改善させ、読書や筆記の作業を適切な姿勢で行わせる環境を機器１台では提供することができないという問題点が有った。
【０００６】
そこで、本発明では、上記問題点に鑑み、ノート型パソコンを使用する場合、及び、デスクトップ型パソコンを使用する場合のどちらの場合であっても、使用者の猫背姿勢を改善させると共に、読書や筆記の作業を適切な姿勢で行わせる卓上型作業台を提供することを目的とする。
【課題を解決するための手段】
【０００７】
開示する卓上型作業台は、天板と、前記天板を下側から支持する天板支持体と、前記天板支持体の手前側端部と蝶番で接続される土台部と、を備え、前記天板が前記天板支持体上を前後方向に滑動可能であり、前記蝶番を軸とし前記天板の傾斜角度が調節可能である、机上に置き前記天板上で事務作業を行う卓上型作業台であって、前記天板の傾斜角度を固定する天板角度固定手段と、前記天板上の載置物が手前側に滑り落ちない様にする、該天板上の手前側端部に設置される天板上凸部と、前記天板支持体の下方に配置され、情報処理装置の入力手段であるキーボードを引出し自在に収納するリストレスト器具付きキーボード収納手段と、を備えることを特徴とする。
【発明の効果】
【０００８】
開示する卓上型作業台は、ノート型パソコンを使用する場合、及び、デスクトップ型パソコンを使用する場合のどちらの場合であっても、使用者の猫背姿勢を改善させると共に、読書や筆記の作業を適切な姿勢で行わせることができる。
【図面の簡単な説明】
【０００９】
【図１】本実施の形態に係る卓上型作業台の一使用状態の側面図である。
【図２】本実施の形態に係る卓上型作業台の一使用状態の側面図である。
【図３】本実施の形態に係る卓上型作業台の一使用状態の側面図である。
【図４】本実施の形態に係る卓上型作業台の一使用状態の側面図である。
【図５】本実施の形態に係るキーボード収納手段の斜視図である。
【図６】本実施の形態に係る天板の側面図である。
【図７】本実施の形態に係る天板支持体の平面図である。
【図８】本実施の形態に係る土台部の平面図である。
【図９】本実施の形態に係る卓上型作業台の正面図である。
【発明を実施するための形態】
【００１０】
図面を参照しながら、本発明を実施するための形態について説明する。
（本実施の形態に係る卓上型作業台の構造）
【００１１】
図１乃至４を用いて、本実施の形態に係る卓上型作業台１の構造について説明する。図１は、卓上型作業台（使用状態Ａ）１の側面図であり、図２は、卓上型作業台（使用状態Ｂ）１の側面図であり、図３は、卓上型作業台（使用状態Ｃ）１の側面図であり、図４は、卓上型作業台（使用状態Ｄ）１の側面図である。ここで、卓上型作業台１は、机上に置いて、その台上でノート型パソコンの入力作業、読書又は執筆作業を行ったり、デスクトップ型パソコン使用時に書類を載置するための作業台である。また、卓上型作業台１は、作業台の傾斜角度を調節したり、作業台（天板）を手前側や奥側にスライドさせることができるため、使用者の用途や体格などに合わせて、可動部分を適宜調節することができる。
【００１２】
なお、使用状態Ａとは、天板２が手前側に約１５程度傾斜しており、主に、手前側１００にキーボードを配置し、卓上型作業台１上に書籍類を載置させ、奥側２００にディスプレイを配置して、事務作業を行う状態である。使用状態Ｂとは、天板２が手前側に約３０程度傾斜しており、主に、手前側１００にキーボードを配置し、卓上型作業台１上に書籍類を載置させ、奥側２００上方にディスプレイを配置して、事務作業を行う状態である。このとき、天板２は、奥側２００に存在する。使用状態Ｃとは、天板２が手前側に約３０程度傾斜しており、主に、卓上型作業台１上にノート型パソコンを載置させ、事務作業を行う状態である。このとき、天板２は、手前側１００に存在する。使用状態Ｄとは、天板２が手前側に約４５程度傾斜しており、主に、卓上型作業台１上に書籍を載置させ読書を行うか、卓上型作業台１上の書類に記入するなどの事務作業を行う状態である。このとき、天板２は、手前側１００に存在する。
【００１３】
図１乃至４で示すように、卓上型作業台１は、天板２、天板支持体４、土台部６を有する。天板２は、卓上型作業台１の使用者が作業を行う場所であって、卓上型作業台１の最上部に該当する。天板２は、天板支持体４上を手前側１００・奥側２００方向に、スライド可能に設置されている。
【００１４】
図１乃至４、６で示すように、天板２は、天板２上に載置するノート型パソコンや資料・書籍類が天板２の傾斜に沿って手前側１００に滑り落ちない様に設置される突起物である天板上凸部８を、手前側端部に有する。天板上凸部８は、天板２の左右方向にレール機構１０を備えており、レール機構１０に付属器具１２を取り付けることによって、天板上凸部８の高さを高くし、天板上凸部８の滑り止め効果を高めることができる。
【００１５】
また図６で示すように、レール機構１０に付属器具１２を取り付け、付属器具１２を左右に移動させることによって、滑り止め効果を高める位置を自由に設定することができる。さらに、付属器具１２が、書籍の特定頁を開いた状態に保つ、所謂ブックホールド機能を備える場合、天板２上に置いた書籍を開いた状態で事務作業が行えるため、使用者の作業効率を向上させることができる。
【００１６】
図１乃至４、６で示すように、天板２は、天板２が天板支持体４上をスライドする場合、手前側１００へ滑り落ちない様に設置される突起物である天板下凸部１４を、奥側端部下方に有する。さらに、天板２は、天板２が天板支持体４から浮き上がらない様にするフック機構１６を、奥側端部下方に有する。
【００１７】
天板支持体４は、天板２を下側から支える部分である。図１乃至４、７で示すように、天板支持体４は、左右両側に、天板支持体４の側面に沿って回転可能であって、天板支持体４（及び天板２）の傾斜角度を固定するために使用する２本の支持脚１８を有する。支持脚１４は、後述するように、土台部６が有する突起物である土台凸部３４、３６に係止させることによって、天板支持体４（及び天板２）の傾斜角度を固定する。また、支持脚１８は、支持脚１８を回転させる使用者の動作を容易にするため、回転軸の傍に取っ手２０が備えられている。取っ手２０は、支持脚１８の付け根部分２２と後述する土台凸部３６との間に指を挟む事故を防止する効果もある。
【００１８】
図１乃至４、７で示すように、天板支持体４は、天板２が天板支持体４上を手前側１００に滑り落ちることを制止する滑り止め部材２４を有する。滑り止め部材２４は、開状態２６及び閉状態２８を有し、開状態２６のとき、天板２が天板支持体４上を手前側１００に滑ることを可能とし、閉状態２８のとき、天板２が天板支持体４上を手前側１００に滑り落ちることを制止する。また、図７で示すように、天板支持体４は、左右端部の２箇所ずつに、天板２が天板支持体４から浮き上がることを防止するフック機構３０を有する。
【００１９】
土台部６は、天板支持体４と蝶番３２で接続され、卓上型作業台１が接地し土台となる部分である。図１乃至４、８で示すように、土台部６は、左右両端部に、突起物である土台凸部３４、３６を有し、土台凸部３４、３６は、支持脚１８を係止させ、天板支持体４（及び天板２）の傾斜角度を固定するために使用する。
【００２０】
図５で示すように、卓上型作業台１は、天板支持体４の下方に、パソコンの入力装置であるキーボードを引き出し自在に収納するキーボード収納手段３８を有する。キーボード収納手段３８は、キーボード台４０、リストレスト４２を有し、卓上型作業台１の手前側１００にキーボードを引き出して使用する。
【００２１】
図９で示すように、卓上型作業台１は、天板支持体４の側面に、ＵＳＢハブ装置４４を有する。これを備えることにより、ＵＳＢポートの少ないノート型パソコン使用時など、使用者の利便性を向上させることができる。
（本実施の形態に係る卓上型作業台の使用方法）
（１）使用状態Ａの場合
【００２２】
図１を用いて、本実施の形態に係る卓上型作業台１の使用状態Ａにおける使用方法について説明する。ここで、使用状態Ａとは、天板２が手前側に約１５程度傾斜しており、主に、手前側１００にキーボードを配置し、卓上型作業台１上に書籍類を載置させ、奥側２００にディスプレイを配置して、事務作業を行う状態である。
【００２３】
使用者は、取っ手２０を握って支持脚１８を回転させ、支持脚１８の付け根部分２２を土台凸部３６に係止させる。こうすることにより、天板２が手前側に約１５程度傾斜した状態となる。また、使用者は、滑り止め部材２４を閉状態２８とし、天板２が天板支持体４上の奥側２００に存在し、天板支持体４上を手前側１００へ滑り落ちることを制止する状態とする。こうすることで、天板支持体４の下方からキーボード収納手段３８を引き出し、デスクトップ型パソコンの入力手段であるキーボードを操作可能となる。
【００２４】
その際、使用者は、天板２上に、事務作業のための資料などを載置し、その資料を見ながらキーボード操作を行う。一方、ディスプレイ装置は、卓上型作業台１の奥側２００に配置し、使用者の体格等に応じて、ディスプレイ装置用の台座などを用意し適宜表示面の高さを調節する。
【００２５】
また、天板２が備えるレール機構１０に付属器具１２を取り付けることによって、天板上凸部８の高さを高くし、天板上凸部８の滑り止め効果を高めることができる。さらに、当該付属器具１２が所謂ブックホールド機能を備えるようにすれば、天板２上に置いた書籍を開いた状態で事務作業が行えるため、使用者の作業効率を向上させることができる。
【００２６】
このように卓上型作業台１は、キーボードを手前側に配置すると共に、使用する資料などを奥側に見易い角度で配置することにより、使用者による後傾姿勢での事務作業を可能とする。これに伴い、卓上型作業台１は、オフィスワーカーの肩凝りや腰痛の症状を和らげ改善させることができる。
（２）使用状態Ｂの場合
【００２７】
図３を用いて、本実施の形態に係る卓上型作業台１の使用状態Ｂにおける使用方法について説明する。ここで、使用状態Ｂとは、天板２が手前側に約３０程度傾斜しており、主に、手前側にキーボードを配置し、卓上型作業台１上に書籍類を載置させ、奥側上方にディスプレイを配置して、事務作業を行う状態である。このとき、天板２は、奥側に存在する。
【００２８】
使用者は、取っ手２０を握って支持脚１８を回転させ、支持脚１８の先端部分を土台凸部３４に奥２００から手前１００方向へ係止させる。こうすることにより、天板２が手前側に約３０程度傾斜した状態となる。また、使用者は、滑り止め部材２４を閉状態２８とし、天板２が天板支持体４上の奥側２００に存在し、天板支持体４上を手前側１００へ滑り落ちることを制止する状態とする。こうすることで、天板支持体４の下方からキーボード収納手段３８を引き出し、デスクトップ型パソコンの入力手段であるキーボードを操作可能となる。
【００２９】
その際、使用者は、天板２上に、事務作業のための資料などを載置し、その資料を見ながらキーボード操作を行う。一方、ディスプレイ装置は、卓上型作業台１の奥側に配置し、使用者の体格等に応じて、ディスプレイ装置用の台座などを用意し適宜表示面の高さを調節する。
【００３０】
また、天板２が備えるレール機構１０に付属器具１２を取り付けることによって、天板上凸部８の高さを高くし、天板上凸部８の滑り止め効果を高めることができる。さらに、当該付属器具１２が所謂ブックホールド機能を備えるようにすれば、天板２上に置いた書籍を開いた状態で事務作業が行えるため、使用者の作業効率を向上させることができる。
【００３１】
このように卓上型作業台１は、キーボードを手前側に配置すると共に、使用する資料などを奥側に見易い角度で配置することにより、使用者による後傾姿勢での事務作業を可能とする。これに伴い、卓上型作業台１は、オフィスワーカーの肩凝りや腰痛の症状を和らげ改善させることができる。
（３）使用状態Ｃの場合
【００３２】
図３を用いて、本実施の形態に係る卓上型作業台１の使用状態Ｃにおける使用方法について説明する。ここで、使用状態Ｃとは、天板２が手前側に約３０程度傾斜しており、主に、卓上型作業台１上にノート型パソコンを載置させ、事務作業を行う状態である。このとき、天板２は、手前側に存在する。
【００３３】
使用者は、取っ手２０を握って支持脚１８を回転させ、支持脚１８の先端部分を土台凸部３４に奥２００から手前１００方向へ係止させる。こうすることにより、天板２が手前側に約３０程度傾斜した状態となる。また、使用者は、滑り止め部材２４を開状態２６とし、天板２を天板支持体４上の手前側１００へスライドさせる。そして、使用者は、天板２上に、ノート型パソコンを載置させ、ノート型パソコンが備えるディスプレイ装置を見易い角度に調節する。
【００３４】
また、天板２が備えるレール機構１０に付属器具１２を取り付けることによって、天板上凸部８の高さを高くし、天板上凸部８の滑り止め効果を高めることができる。
【００３５】
このように卓上型作業台１は、ノート型パソコンが備えるキーボードに傾斜を付けることにより、手首に加わる負担を抑えつつ、使用者による後傾姿勢での事務作業を可能とする。これに伴い、卓上型作業台１は、オフィスワーカーの肩凝りや腰痛の症状を和らげ改善させることができる。
（４）使用状態Ｄの場合
【００３６】
図４を用いて、本実施の形態に係る卓上型作業台１の使用状態Ｄにおける使用方法について説明する。ここで、使用状態Ｄとは、天板２が手前側に約４５程度傾斜しており、主に、卓上型作業台１上に書籍を載置させ読書を行うか、卓上型作業台１上の書類に記入するなどの事務作業を行う状態である。このとき、天板２は、手前側に存在する。
【００３７】
使用者は、取っ手２０を握って支持脚１８を回転させ、支持脚１８の先端部分を土台凸部３６に手前１００から奥２００方向へ係止させる。こうすることにより、天板２が手前側に約４５程度傾斜した状態となる。また、使用者は、滑り止め部材２４を開状態２６とし、天板２を天板支持体４上の手前側１００へスライドさせる。そして、使用者は、天板２上に、書籍・書類を載置させ、読書や執筆作業を行う。
【００３８】
また、天板２が備えるレール機構１０に付属器具１２を取り付けることによって、天板上凸部８の高さを高くし、天板上凸部８の滑り止め効果を高めることができる。さらに、当該付属器具１２が所謂ブックホールド機能を備えるようにすれば、天板２上に置いた書籍を開いた状態で事務作業が行えるため、使用者の作業効率を向上させることができる。
【００３９】
なお、卓上型作業台１は、滑り止め部材２４を閉状態２８とし、天板２を天板支持体４上の奥側２００に置き、天板支持体４上を手前側１００へ滑り落ちることを制止する状態として使用することもできる。この状態では、例えば、ｉＰａｄ（登録商標）を天板２上に置き、専用キーボードと組み合わせて使用することができる。
【００４０】
このように卓上型作業台１は、傾斜の付いた書見台、執筆台として利用することで、使用者による後傾姿勢での事務作業を可能とする。これに伴い、卓上型作業台１は、オフィスワーカーの肩凝りや腰痛の症状を和らげ改善させることができる。
（総括）
【００４１】
開示する卓上型作業台１は、１台で、ノート型パソコンを使用する場合、及び、デスクトップ型パソコンを使用する場合のどちらの場合であっても、使用者の猫背姿勢を改善させると共に、読書や筆記の作業を適切な姿勢で行わせることができる。
【００４２】
また、開示する卓上型作業台１を使用することによって、後傾姿勢で作業を行うようになるため、腰痛や肩こりの症状を減らすことができる。さらには、このようにオフィスワーカーの身体的な不調を軽減させることにより、各人の作業効率を向上させることができるので、波及効果として全社的な残業時間の短縮など、ゆとりある就業環境の形成が可能となる。
【００４３】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００４４】
１      卓上型作業台
２      天板
４      天板支持体
６      土台部
８      天板上凸部
１０    レール機構
１２    付属器具
１４    天板下凸部
１６    （天板が備える）フック機構
１８    支持脚
２０    取っ手
２２    支持脚の付け根部分
２４    滑り止め部材
２６    滑り止め部材の開状態
２８    滑り止め部材の閉状態
３０    （天板支持体が備える）フック機構
３２    蝶番
３４    土台凸部（手前側）
３６    土台凸部（奥側）
３８    キーボード収納手段
４０    キーボード台
４２    リストレスト
４４    ＵＳＢハブ装置
１００  卓上型作業台の手前側
２００  卓上型作業台の奥側
【図１】
2012164053.tif 000003
【図２】
2012164053.tif 000004
【図３】
2012164053.tif 000005
【図４】
2012164053.tif 000006
【図５】
2012164053.tif 000007
【図６】
2012164053.tif 000008
【図７】
2012164053.tif 000009
【図８】
2012164053.tif 000010
【図９】
2012164053.tif 000011
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
天板と、前記天板を下側から支持する天板支持体と、前記天板支持体の手前側端部と蝶番で接続される土台部と、を備え、前記天板が前記天板支持体上を前後方向に滑動可能であり、前記蝶番を軸とし前記天板の傾斜角度が調節可能である、机上に置き前記天板上で事務作業を行う卓上型作業台であって、
前記天板の傾斜角度を固定する天板角度固定手段と、
前記天板上の載置物が手前側に滑り落ちない様にする、該天板上の手前側端部に設置される天板上凸部と、を備えることを特徴とする卓上型作業台。
【請求項２】
前記天板角度固定手段が、
前記天板支持体の左右両端部に設置され、該天板支持体の左右各側面に沿って回動可能である支持脚の端部を、前記土台部に設けられた土台凸部に係止させることによって、前記天板の傾斜角度を固定することを特徴とする請求項１に記載の卓上型作業台。
【請求項３】
前記天板角度固定手段が、前記天板の傾斜角度に関し、第１の傾斜角度、該第１の傾斜角度より大きい第２の傾斜角度、該第２の傾斜角度より大きい第３の傾斜角度のうち、何れかの傾斜角度で固定し、
前記天板の傾斜角度が前記第１の傾斜角度で固定される場合、前記天板上には、デスクトップ型パソコンを使用して行う前記事務作業のための資料が載置され、
前記天板の傾斜角度が前記第２の傾斜角度で固定される場合、前記天板上には、前記事務作業を行うためのノート型パソコンが載置され、
前記天板の傾斜角度が前記第３の傾斜角度で固定される場合、前記天板上には、読書又は執筆活動を行うための資料が載置されることを特徴とする請求項１又は２に記載の卓上型作業台。
【請求項４】
前記第１の傾斜角度が約１５°であり、前記第２の傾斜角度が約３０°であり、前記第３の傾斜角度が約４５°であることを特徴とする請求項３に記載の卓上型作業台。
【請求項５】
前記天板支持体の下方に配置され、情報処理装置の入力手段であるキーボードを引出し自在に収納するリストレスト器具付きキーボード収納手段を備えることを特徴とする請求項１乃至４の何れか一に記載の卓上型作業台。
【請求項６】
前記支持脚が、当該卓上型作業台の使用者が前記支持脚に回動動作を行わせる際に利用する取っ手を備えていることを特徴とする請求項１乃至５の何れか一に記載の卓上型作業台。
【請求項７】
前記天板が、該天板裏の奥側端部に、前記天板支持体からの滑り落ちを防止するための突起である天板下凸部を備えていることを特徴とする請求項１乃至６の何れか一に記載の卓上型作業台。
【請求項８】
前記天板が奥側の下方端部に、前記天板支持体が左右の上方端部に、前記天板が前記天板支持体から浮き上がることを防止するフック機構を備えていることを特徴とする請求項１乃至７の何れか一に記載の卓上型作業台。
【請求項９】
前記天板支持体が、該天板支持体の手前側端部に、前記天板が奥位置から滑動することを制止する滑り止め部材を備えていることを特徴とする請求項１乃至８の何れか一に記載の卓上型作業台。
【請求項１０】
前記天板上凸部が、高さ調節可能であることを特徴とする請求項１乃至９の何れか一に記載の卓上型作業台。
【請求項１１】
前記天板上凸部が、左右方向に滑動可能であることを特徴とする請求項１乃至１０の何れか一に記載の卓上型作業台。
【請求項１２】
前記天板上凸部が、前記天板上に載置した書籍の特定頁を開いた状態に保つブックホールド機能を備えていることを特徴とする請求項１乃至１１の何れか一に記載の卓上型作業台。
【請求項１３】
ＵＳＢハブ装置を備えることを特徴とする請求項１乃至１２の何れか一に記載の卓上型作業台。
【手続補正２】
【補正対象書類名】明細書
【補正対象項目名】００１２
【補正方法】変更
【補正の内容】
【００１２】
なお、使用状態Ａとは、天板２が手前側に約１５度傾斜しており、主に、手前側１００にキーボードを配置し、卓上型作業台１上に書籍類を載置させ、奥側２００にディスプレイを配置して、事務作業を行う状態である。使用状態Ｂとは、天板２が手前側に約３０度傾斜しており、主に、手前側１００にキーボードを配置し、卓上型作業台１上に書籍類を載置させ、奥側２００上方にディスプレイを配置して、事務作業を行う状態である。このとき、天板２は、奥側２００に存在する。使用状態Ｃとは、天板２が手前側に約３０度傾斜しており、主に、卓上型作業台１上にノート型パソコンを載置させ、事務作業を行う状態である。このとき、天板２は、手前側１００に存在する。使用状態Ｄとは、天板２が手前側に約４５度傾斜しており、主に、卓上型作業台１上に書籍を載置させ読書を行うか、卓上型作業台１上の書類に記入するなどの事務作業を行う状態である。このとき、天板２は、手前側１００に存在する。
【手続補正３】
【補正対象書類名】明細書
【補正対象項目名】００２２
【補正方法】変更
【補正の内容】
【００２２】
図１を用いて、本実施の形態に係る卓上型作業台１の使用状態Ａにおける使用方法について説明する。ここで、使用状態Ａとは、天板２が手前側に約１５度傾斜しており、主に、手前側１００にキーボードを配置し、卓上型作業台１上に書籍類を載置させ、奥側２００にディスプレイを配置して、事務作業を行う状態である。
【手続補正４】
【補正対象書類名】明細書
【補正対象項目名】００２３
【補正方法】変更
【補正の内容】
【００２３】
使用者は、取っ手２０を握って支持脚１８を回転させ、支持脚１８の付け根部分２２を土台凸部３６に係止させる。こうすることにより、天板２が手前側に約１５度傾斜した状態となる。また、使用者は、滑り止め部材２４を閉状態２８とし、天板２が天板支持体４上の奥側２００に存在し、天板支持体４上を手前側１００へ滑り落ちることを制止する状態とする。こうすることで、天板支持体４の下方からキーボード収納手段３８を引き出し、デスクトップ型パソコンの入力手段であるキーボードを操作可能となる。
【手続補正５】
【補正対象書類名】明細書
【補正対象項目名】００２７
【補正方法】変更
【補正の内容】
【００２７】
図３を用いて、本実施の形態に係る卓上型作業台１の使用状態Ｂにおける使用方法について説明する。ここで、使用状態Ｂとは、天板２が手前側に約３０度傾斜しており、主に、手前側にキーボードを配置し、卓上型作業台１上に書籍類を載置させ、奥側上方にディスプレイを配置して、事務作業を行う状態である。このとき、天板２は、奥側に存在する。
【手続補正６】
【補正対象書類名】明細書
【補正対象項目名】００２８
【補正方法】変更
【補正の内容】
【００２８】
使用者は、取っ手２０を握って支持脚１８を回転させ、支持脚１８の先端部分を土台凸部３４に奥２００から手前１００方向へ係止させる。こうすることにより、天板２が手前側に約３０度傾斜した状態となる。また、使用者は、滑り止め部材２４を閉状態２８とし、天板２が天板支持体４上の奥側２００に存在し、天板支持体４上を手前側１００へ滑り落ちることを制止する状態とする。こうすることで、天板支持体４の下方からキーボード収納手段３８を引き出し、デスクトップ型パソコンの入力手段であるキーボードを操作可能となる。
【手続補正７】
【補正対象書類名】明細書
【補正対象項目名】００３２
【補正方法】変更
【補正の内容】
【００３２】
図３を用いて、本実施の形態に係る卓上型作業台１の使用状態Ｃにおける使用方法について説明する。ここで、使用状態Ｃとは、天板２が手前側に約３０度傾斜しており、主に、卓上型作業台１上にノート型パソコンを載置させ、事務作業を行う状態である。このとき、天板２は、手前側に存在する。
【手続補正８】
【補正対象書類名】明細書
【補正対象項目名】００３３
【補正方法】変更
【補正の内容】
【００３３】
使用者は、取っ手２０を握って支持脚１８を回転させ、支持脚１８の先端部分を土台凸部３４に奥２００から手前１００方向へ係止させる。こうすることにより、天板２が手前側に約３０度傾斜した状態となる。また、使用者は、滑り止め部材２４を開状態２６とし、天板２を天板支持体４上の手前側１００へスライドさせる。そして、使用者は、天板２上に、ノート型パソコンを載置させ、ノート型パソコンが備えるディスプレイ装置を見易い角度に調節する。
【手続補正９】
【補正対象書類名】明細書
【補正対象項目名】００３６
【補正方法】変更
【補正の内容】
【００３６】
図４を用いて、本実施の形態に係る卓上型作業台１の使用状態Ｄにおける使用方法について説明する。ここで、使用状態Ｄとは、天板２が手前側に約４５度傾斜しており、主に、卓上型作業台１上に書籍を載置させ読書を行うか、卓上型作業台１上の書類に記入するなどの事務作業を行う状態である。このとき、天板２は、手前側に存在する。
【手続補正１０】
【補正対象書類名】明細書
【補正対象項目名】００３７
【補正方法】変更
【補正の内容】
【００３７】
使用者は、取っ手２０を握って支持脚１８を回転させ、支持脚１８の先端部分を土台凸部３６に手前１００から奥２００方向へ係止させる。こうすることにより、天板２が手前側に約４５度傾斜した状態となる。また、使用者は、滑り止め部材２４を開状態２６とし、天板２を天板支持体４上の手前側１００へスライドさせる。そして、使用者は、天板２上に、書籍・書類を載置させ、読書や執筆作業を行う。